(57)【要約】【課題】エレベータのかご室の組み立て作業の効率を向上させ、より安全な作業を可能にすることを目的とする。【解決手段】エレベータのかご室１０は、当て部材１２ａ〜ｃ、かご室パネル１３ａ〜ｅを備える。当て部材１２ａ〜ｃは、かご床１５の右側端部、後側端部、左側端部に設けられている。かご室パネル１３ａ〜ｅは、かご室壁の一部を形成するパネルであり、下端に巾木１４ａ〜ｅを具備する。かご室パネル１３ａ〜ｅは、巾木１４ａ〜ｅが当て部材１２ａ〜ｃに当接するようにかご床１５に巾木１４ａ〜ｅごと設置される。巾木１４ａ〜ｅがかご室パネル１３ａ〜ｅと一体化しているため、かご室１０の組み立て時に、かご室パネル１３ａ〜ｅを持ち上げることなく組み立て作業を行うことが可能となる。【選択図】図１
2009062117.tif 000002
【特許請求の範囲】
【請求項１】
かご床に設けられる当て部材と、
かご室壁の一部を形成するパネルであって、下端に巾木を具備し、前記巾木が前記当て部材に当接するように前記かご床に前記巾木ごと設置されるパネルとを備えることを特徴とするエレベータのかご室。
【請求項２】
前記当て部材は、前記かご床の周縁部に立設され、
前記パネルは、前記巾木の背面が前記当て部材に当接するように設置され、
前記巾木は、下端を前記かご床に固定する留め部材を具備することを特徴とする請求項１に記載のエレベータのかご室。
【請求項３】
前記留め部材は、ネジであり、
前記巾木は、下端を含む少なくとも一部の側断面が略Ｌ字形をなすように正面に突部を有し、
前記巾木の突部は、前記ネジにより上方から前記かご床にネジ留めされることを特徴とする請求項２に記載のエレベータのかご室。
【請求項４】
前記留め部材は、ネジであり、
前記巾木は、側断面が略コ字形をなすように正面の上側と下側とにそれぞれ突部を有し、
前記巾木の上側の突部は、下方から前記パネルの下端にネジ留めされ、
前記巾木の下側の突部は、前記留め部材により上方から前記かご床にネジ留めされることを特徴とする請求項２に記載のエレベータのかご室。
【請求項５】
前記当て部材及び前記巾木は、互いに嵌合する形状を有し、
前記パネルは、前記巾木が前記当て部材に嵌合するように設置されることを特徴とする請求項１に記載のエレベータのかご室。
【請求項６】
前記当て部材は、前記かご床の少なくとも一部を形成する床板をハゼ曲げして前記かご床の周縁部に設けられ、
前記巾木は、下端を含む少なくとも一部が前記当て部材をハゼ曲げして形成された隙間に嵌合する形状を有することを特徴とする請求項５に記載のエレベータのかご室。
【請求項７】
前記巾木は、側断面が略Ｓ字形をなすように正面の上側と背面の下側とにそれぞれ突部を有し、
前記巾木の上側の突部は、下方から前記パネルの下端にネジ留めされ、
前記巾木の下側の突部は、前記隙間に嵌合する形状を有することを特徴とする請求項６に記載のエレベータのかご室。
【請求項８】
エレベータのかご室の組み立て方法において、
かご室壁の一部を形成するパネルの下端に巾木をネジ留めし、
かご床の周縁部に設けられた当て部材に前記巾木が当接するように、前記かご床に前記パネルを前記パネルの下端にネジ留めした巾木ごと設置し、
前記かご床に設置した巾木の下端を前記かご床に固定することを特徴とするエレベータのかご室の組み立て方法。
【発明の詳細な説明】
【技術分野】
【０００１】
本発明は、エレベータのかご室及びその組み立て方法に関するものである。
【背景技術】
【０００２】
従来の技術では、特許文献１に示されているように、かご床周縁部に巾木が設けられ、巾木の上にかご室パネルが立設されていた。そして、巾木とかご室パネルの対向する相互の面において締結具によって締結されてかご室が組み立てられていた。
【特許文献１】特開昭６２−９６２９０号公報
【特許文献２】特開昭６３−２７７１８８号公報
【発明の開示】
【発明が解決しようとする課題】
【０００３】
上記のように、従来の技術では、巾の狭い巾木の上へかご室パネルを運搬して載せる必要があるため、かご室パネルをかご床の上やかご室の外側へ落下させてしまうことが懸念されるとともに、かご室パネルの運搬時に、かご室パネルを設置する位置を目視確認できないため、所定の位置へかご室パネルを配置することが困難である、という課題があった。
【０００４】
本発明は、エレベータのかご室の組み立て作業の効率を向上させ、より安全な作業を可能にすることを目的とする。
【課題を解決するための手段】
【０００５】
本発明の一の態様に係るエレベータのかご室は、
かご床に設けられる当て部材と、
かご室壁の一部を形成するパネルであって、下端に巾木を具備し、前記巾木が前記当て部材に当接するように前記かご床に前記巾木ごと設置されるパネルとを備えることを特徴とする。
【発明の効果】
【０００６】
本発明の一の態様によれば、エレベータのかご室が、かご床に設けられる当て部材と、かご室壁の一部を形成するパネルであって、下端に巾木を具備し、前記巾木が前記当て部材に当接するように前記かご床に前記巾木ごと設置されるパネルとを備えることにより、所定の位置へパネルを配置することが容易になるため、エレベータのかご室の組み立て作業の効率が向上し、より安全な作業が可能となる。
【発明を実施するための最良の形態】
【０００７】
以下、本発明の実施の形態について、図を用いて説明する。
【０００８】
実施の形態１．
図１は、組み立て作業が完了する前の本実施の形態に係るエレベータのかご室１０の斜視図である。
【０００９】
図１において、エレベータのかご室１０は、敷居１１、当て部材１２ａ〜ｃ、かご室パネル１３ａ〜ｅを備える。敷居１１は、かご床１５の前側端部に設けられている。図示していないが、敷居１１の上には開閉自在の乗降扉が設置される。当て部材１２ａ〜ｃは、かご床１５の右側端部、後側端部、左側端部に設けられている。かご室パネル１３ａ〜ｅは、かご室壁の一部を形成するパネルであり、下端に巾木１４ａ〜ｅを具備する。かご室パネル１３ａ〜ｅは、巾木１４ａ〜ｅが当て部材１２ａ〜ｃに当接するようにかご床１５に巾木１４ａ〜ｅごと設置される。例えば、かご室パネル１３ａは、巾木１４ａが当て部材１２ａに当接するようにかご床１５に巾木１４ａごと設置され、例えば、かご室パネル１３ｅは、巾木１４ｅが当て部材１２ｃに当接するようにかご床１５に巾木１４ｅごと設置される。
【００１０】
図２は、組み立て作業中の本実施の形態に係るエレベータのかご室１０の正面図である。また、図５は、比較例となる従来のエレベータのかご室９０の正面図である。
【００１１】
図５に示すように、従来は、かご室９０の組み立て時に、作業員１６ａ，ｂは、かご室パネル９３ａ，ｅを持ち上げて、かご床９５に設けられた巾木９４ａ，ｅに載せた後、巾木９４ａ，ｅに固定していた。そのため、かご室パネル９３ａ，ｅの運搬時に、かご室パネル９３ａ，ｅを設置する位置を目視確認できず、かご室パネル９３ａ，ｅの位置決めに時間がかかったり、かご室パネル９３ａ，ｅをかご床９５へ落下させたりすることが懸念されていた。
【００１２】
図２に示すように、本実施の形態では、コ字形に曲げられた巾木１４ａ，ｅが、かご室パネル１３ａ，ｅの下端部にネジ留めされている。このように、巾木１４ａ，ｅがかご室パネル１３ａ，ｅと一体化しているため、本実施の形態では、かご室１０の組み立て時に、作業員１６ａ，ｂは、かご室パネル１３ａ，ｅを持ち上げることなく組み立て作業を行うことが可能となる。
【００１３】
また、本実施の形態では、巾木１４ａ，ｅの背面（かご室１０の外側を向く面）が、かご室パネル１３ａ，ｅの意匠面（かご室１０の内側を向く面）と平行であり、かご床１５の周縁部に立設された当て部材１２ａ，ｃの前面（かご室１０の内側を向く面）と当接したときに、かご室パネル１３ａ，ｅがかご床１５の所定の位置に垂直に立設されるようになっている。そのため、本実施の形態では、かご室１０の組み立て時に、作業員１６ａ，ｂは、当て部材１２ａ，ｃへかご室パネル１３ａ，ｅの下端部、即ち、巾木１４ａ，ｅを当接させることで、かご床１５に対するかご室パネル１３ａ，ｅの位置決めを容易に行うことができる。また、かご床１５の周縁部の当て部材１２ａ，ｃは、かご室パネル１３ａ，ｅを所定の位置へ運搬する際に、かご室パネル１３ａ，ｅの落下防止機能をも有するため、作業員１６ａ，ｂは、安全にかご室１０を組み立てることができる。
【００１４】
図３は、本実施の形態に係るエレベータのかご室１０の要部詳細図である。また、図６は、比較例となる従来のエレベータのかご室９０の要部詳細図である。
【００１５】
図６に示すように、従来は、巾木９４ａが、かご床９５の周縁部に予め設けられていた。そして、かご室パネル９３ａは、巾木９４ａに載せられた後、取り付けボルト９７ａで巾木９４ａに固定されていた。前述したように、かご室パネル９３ａを巾木９４ａに載せる作業は容易ではなく、安全面にも課題があった。
【００１６】
図３に示すように、本実施の形態では、巾木１４ａが、かご室パネル１３ａの下端に取り付けボルト１７ａで予め固定されている。また、巾木１４ａが、その下端をかご床１５に固定する留め部材として、取り付けボルト１８ａ（ネジ）を具備し、取り付けボルト１８ａを螺着させるためのネジ穴１９ａが、巾木１４ａの下端及びかご床１５の所定の位置に設けられている。さらに、当て部材１２ａが、かご床１５の周縁部に予め設けられている。そして、かご室パネル１３ａは、その下端部にある巾木１４ａが当て部材１２ａに当接する位置、即ち、かご床１５の所定の位置に設置された後、取り付けボルト１８ａでかご床１５に巾木１４ａごと固定される。このように、本実施の形態では、かご室パネル１３ａを巾木１４ａに載せる作業が不要となり、安全性も向上する。
【００１７】
図３において、巾木１４ａは、下端を含む少なくとも一部の側断面が略Ｌ字形をなすように正面に突部２０ａを有している。巾木１４ａの突部２０ａは、取り付けボルト１８ａにより上方からかご床１５にネジ留めされる。
【００１８】
巾木１４ａは、正面の下側に有している突部２０ａに加えて、側断面が略コ字形をなすように正面の上側に突部２１ａを有している。前述したように、巾木１４ａの下側の突部２０ａは、取り付けボルト１８ａにより上方からかご床１５にネジ留めされる。一方、巾木１４ａの上側の突部２１ａは、下方からかご室パネル１３ａの下端にネジ留めされる。
【００１９】
以上のように、本実施の形態では、エレベータのかご室が下記手順で組み立てられる。
（１）かご室壁の一部を形成するパネル（例えば、かご室パネル１３ａ〜ｅ）の下端に巾木（例えば、巾木１４ａ〜ｅ）をネジ留めする。
（２）かご床の周縁部に設けられた当て部材（例えば、当て部材１２ａ〜ｃ）に巾木が当接するように、かご床にパネルをパネルの下端にネジ留めした巾木ごと設置する。
（３）かご床に設置した巾木の下端をかご床にネジ留めして固定する。
【００２０】
エレベータのかご室を上記手順で組み立てることにより、所定の位置へパネルを配置することが容易になるため、エレベータのかご室の組み立て作業の効率が向上し、より安全な作業が可能となる。
【００２１】
実施の形態２．
本実施の形態について、主に実施の形態１との差異を説明する。
【００２２】
図４は、本実施の形態に係るエレベータのかご室１０の要部詳細図である。
【００２３】
図４に示すように、本実施の形態では、当て部材１２ａ及び巾木１４ａが、互いに嵌合する形状を有している。そして、かご室パネル１３ａは、その下端部にある巾木１４ａが当て部材１２ａに嵌合するように設置される。このように、本実施の形態では、実施の形態１と同様に、かご室パネル１３ａを巾木１４ａに載せる作業が不要となるだけでなく、巾木１４ａの下端が当て部材１２ａに嵌合して固定されるため、巾木１４ａの下端をかご床１５に固定する留め部材が不要となる。
【００２４】
具体的には、当て部材１２ａは、かご床１５の少なくとも一部を形成する床板（かご床材）をハゼ曲げしてかご床１５の周縁部に設けられている。巾木１４ａは、その下端を含む少なくとも一部が、当て部材１２ａをハゼ曲げして形成された隙間２２ａに嵌合する形状を有する。このように、本実施の形態では、かご床１５へかご室パネル１３ａを固定するときに、締結具を使用せずに、かご室パネル１３ａの下端部に設けられた巾木１４ａを当て部材１２ａの隙間２２ａに差し込むだけで、かご室パネル１３ａをかご床１５に容易に固定することができる。
【００２５】
図４において、巾木１４ａは、側断面が略Ｓ字形をなすように正面の上側に突部２１ａを、背面の下側に突部２３ａを有している。巾木１４ａの上側の突部２１ａは、下方からかご室パネル１３ａの下端にネジ留めされる。巾木１４ａの下側の突部２３ａは、当て部材１２ａの隙間２２ａに嵌合する形状を有している。
【００２６】
以上のように、本実施の形態では、エレベータのかご室が下記手順で組み立てられる。
（１）かご室壁の一部を形成するパネル（例えば、かご室パネル１３ａ〜ｅ）の下端に巾木（例えば、巾木１４ａ〜ｅ）をネジ留めする。
（２）かご床の周縁部に設けられた当て部材（例えば、当て部材１２ａ〜ｃ）に巾木が当接するように、かご床にパネルをパネルの下端にネジ留めした巾木ごと設置する。
（３）かご床に設置した巾木の下端をかご床に設けられた当て部材の隙間に嵌合させて固定する。
【００２７】
エレベータのかご室を上記手順で組み立てることにより、所定の位置へパネルを配置することが容易になるため、エレベータのかご室の組み立て作業の効率が向上し、より安全な作業が可能となる。
【図面の簡単な説明】
【００２８】
【図１】実施の形態１に係るエレベータのかご室の斜視図である。
【図２】実施の形態１に係るエレベータのかご室の正面図である。
【図３】実施の形態１に係るエレベータのかご室の要部詳細図である。
【図４】実施の形態２に係るエレベータのかご室の要部詳細図である。
【図５】従来のエレベータのかご室の正面図である。
【図６】従来のエレベータのかご室の要部詳細図である。
【符号の説明】
【００２９】
１０  かご室、１１  敷居、１２ａ〜ｃ  当て部材、１３ａ〜ｅ  かご室パネル、１４ａ〜ｅ  巾木、１５  かご床、１６ａ，ｂ  作業員、１７ａ  取り付けボルト、１８ａ  取り付けボルト、１９ａ  ネジ穴、２０ａ  突部、２１ａ  突部、２２ａ  隙間、２３ａ  突部、９０  かご室、９３ａ，ｅ  かご室パネル、９４ａ，ｅ  巾木、９５  かご床、９７ａ  取り付けボルト。
【図１】
2009062117.tif 000003
【図２】
2009062117.tif 000004
【図３】
2009062117.tif 000005
【図４】
2009062117.tif 000006
【図５】
2009062117.tif 000007
【図６】
2009062117.tif 000008